(57)【要約】【課題】携帯端末の機能を自動的に通知したり、電話帳に更新して、通信相手の携帯端末がどの機能を搭載しているかをユーザに認識させること。【解決手段】携帯端末１Ａから携帯端末１Ｂへの発呼の際に、携帯端末１Ａで利用できる機能の情報を機能通知サーバ３１に送信し、機能通知サーバ３１において、前記機能情報に基づいてアイコン情報を作成し、前記アイコン情報を携帯端末１Ｂに送信し、携帯端末１Ｂにおいて、アイコン情報を電話帳に更新する。更新された機能に対応するアイコンを有しない場合には、アイコンサーバ３２からそのアイコンをダウンロードする。【選択図】図１
2008092531.tif 000002
【特許請求の範囲】
【請求項１】
発呼の際に自装置で利用できる機能の情報を送信する通信制御手段、及び通話相手の装置で利用できる機能の情報を電話帳に更新する更新手段を有する携帯端末装置と、前記機能の情報に基づいて機能表示画像情報を作成する情報作成手段、及び前記機能表示画像情報を携帯端末装置に送信する通信制御手段を有するサーバ装置と、を具備することを特徴とする機能更新システム。
【請求項２】
種々の機能表示画像を管理する機能表示画像サーバ装置をさらに具備し、前記携帯端末装置の通信制御手段は、前記携帯端末装置が電話帳に更新された機能に対応する機能表示画像を有しないときに、前記電話帳に更新された機能に対応する機能表示画像を前記機能表示画像サーバ装置からダウンロードすることを特徴とする請求項１記載の機能更新システム。
【請求項３】
前記情報作成手段は、機能表示画像を削除する機能を有すると共に、削除した機能の情報を前記機能表示画像情報に含めることを特徴とする請求項１又は請求項２記載の機能更新システム。
【請求項４】
第１携帯端末装置から第２携帯端末装置への発呼の際に、前記第１携帯端末装置で利用できる機能の情報をサーバ装置に送信する工程と、前記サーバ装置において、前記機能の情報に基づいて機能表示画像情報を作成する工程と、前記機能表示画像情報を前記第２の携帯端末装置に送信する工程と、前記第２携帯端末装置において、前記機能表示画像情報を電話帳に更新する工程と、を具備することを特徴とする機能更新方法。
【請求項５】
前記第２携帯端末装置は、前記電話帳に更新された機能に対応する機能表示画像を有しないときに、前記電話帳に更新された機能に対応する機能表示画像のダウンロードを機能表示画像サーバ装置に要求する工程と、前記サーバ装置は、前記要求に応じて、前記第２携帯端末装置で更新された機能に対応する機能表示画像をダウンロードすることを特徴とする請求項４記載の機能更新方法。
【請求項６】
前記機能表示画像情報を作成する工程において、機能表示画像を削除すると共に、削除した機能の情報を前記機能表示画像情報に含めることを特徴とする請求項４又は請求項５記載の機能更新方法。
【発明の詳細な説明】
【技術分野】
【０００１】
本発明は、携帯端末の機能更新システム及び機能更新方法に関する。
【背景技術】
【０００２】
従来から、携帯電話のような携帯端末の機種変更に伴って電話番号が変更になるような場合に、電話番号を簡単に更新できるようなシステムが考案されている。例えば、特許文献１には、ユーザ所望の相手先に電話番号の変更に関する文字メッセージを設定時間に自動通知するための各種設定を行い、設定された相手先に設定時間に自動で電話番号変更を文字メッセージにより通知すると共に、電話番号変更通知の結果を確認表示することが開示されている。このシステムによれば、ユーザは複数の通話相手先に対する自己の電話番号変更通知を、煩わしい操作を要することなく容易に行うことができる。
【特許文献１】特開２００２−２４７１８２号公報
【発明の開示】
【発明が解決しようとする課題】
【０００３】
近年、携帯端末には、種々の機能が搭載されてきているので、通信相手に対して種々の機能を用いて通話することが可能である。しかしながら、通信相手の携帯端末にどのような機能が搭載されているかについては知る術がなく、まして、携帯端末の機種が変更されれば、どのような機能が搭載されているかは全く分からなくなってしまう。このように、種々の機能を利用して通話を行うために、通信相手の携帯端末の機能の情報を通知したり、電話帳に更新することが望まれているが、上記従来技術を含めてそのようなサービスは存在していないのが現状である。
【０００４】
本発明はかかる点に鑑みてなされたものであり、携帯端末の機能を自動的に通知したり、電話帳に更新して、通信相手の携帯端末がどの機能を搭載しているかをユーザに認識させることができる機能更新システム及び機能更新方法を提供することを目的とする。
【課題を解決するための手段】
【０００５】
本発明の機能更新システムは、発呼の際に自装置で利用できる機能の情報を送信する通信制御手段、及び通話相手の装置で利用できる機能の情報を電話帳に更新する更新手段を有する携帯端末装置と、前記機能の情報に基づいて機能表示画像情報を作成する情報作成手段、及び前記機能表示画像情報を携帯端末装置に送信する通信制御手段を有するサーバ装置と、を具備することを特徴とする。この構成によれば、携帯端末の機能を通知したり、電話帳に更新して、通信相手の携帯端末がどの機能を搭載しているかをユーザに認識させることができる。
【０００６】
本発明の機能更新システムにおいては、種々の機能表示画像を管理する機能表示画像サーバ装置をさらに具備し、前記携帯端末装置の通信制御手段は、前記携帯端末装置が電話帳に更新された機能に対応する機能表示画像を有しないときに、前記電話帳に更新された機能に対応する機能表示画像を前記機能表示画像サーバ装置からダウンロードすることが好ましい。
【０００７】
本発明の機能更新システムにおいては、前記情報作成手段は、機能表示画像を削除する機能を有すると共に、削除した機能の情報を前記機能表示画像情報に含めることが好ましい。この構成によれば、ユーザに定着した機能のアイコンをサービス提供者が宣伝したい新たな機能のアイコンに置き換えることが可能となり、アイコンを格納する領域を有効に利用することができる。また、個々のユーザの携帯端末についての機能表示の履歴を残すことができ、サービス提供者側で個々に機能表示を管理する必要がなくなる。
【０００８】
本発明の機能更新方法は、第１携帯端末装置から第２携帯端末装置への発呼の際に、前記第１携帯端末装置で利用できる機能の情報をサーバ装置に送信する工程と、前記サーバ装置において、前記機能の情報に基づいて機能表示画像情報を作成する工程と、前記機能表示画像情報を前記第２携帯端末装置に送信する工程と、前記第２の携帯端末装置において、前記機能表示画像情報を電話帳に更新する工程と、を具備することを特徴とする。この方法によれば、携帯端末の機能を通知したり、電話帳に更新して、通信相手の携帯端末がどの機能を搭載しているかをユーザに認識させることができる。
【０００９】
本発明の機能更新方法においては、前記第２携帯端末装置は、前記電話帳に更新された機能に対応する機能表示画像を有しないときに、前記電話帳に更新された機能に対応する機能表示画像のダウンロードを機能表示画像サーバ装置に要求する工程と、前記サーバ装置は、前記要求に応じて、前記第２携帯端末装置で更新された機能に対応する機能表示画像をダウンロードすることが好ましい。
【００１０】
本発明の機能更新方法においては、前記機能表示画像情報を作成する工程において、機能表示画像を削除すると共に、削除した機能の情報を前記機能表示画像情報に含めることが好ましい。この方法によれば、ユーザに定着した機能のアイコンをサービス提供者が宣伝したい新たな機能のアイコンに置き換えることが可能となり、アイコンを格納する領域を有効に利用することができる。また、個々のユーザの携帯端末についての機能表示の履歴を残すことができ、サービス提供者側で個々に機能表示を管理する必要がなくなる。
【発明の効果】
【００１１】
本発明によれば、第１携帯端末装置から第２携帯端末装置への発呼の際に、前記第１携帯端末装置で利用できる機能の情報をサーバ装置に送信し、前記サーバ装置において、前記機能の情報に基づいて機能表示画像情報を作成し、前記機能表示画像情報を前記第２の携帯端末装置に送信し、前記第２携帯端末装置において、前記機能表示画像情報を電話帳に更新するので、携帯端末の機能を自動的に通知したり、電話帳に更新して、通信相手の携帯端末がどの機能を搭載しているかをユーザに認識させることができる。
【発明を実施するための最良の形態】
【００１２】
以下、本発明の実施の形態について、添付図面を参照して詳細に説明する。
図１は、本発明の実施の形態に係る機能更新システムを示す図である。図１に示すシステムは、携帯端末１Ａ，１Ｂと、この携帯端末１Ａ，１Ｂと移動通信網２を介して接続された移動通信センター３とから主に構成されている。
【００１３】
ここでは、携帯端末１Ａが携帯端末１Ｂに対して発呼して、携帯端末１Ａの機能が携帯端末１Ｂの電話帳に更新される場合について説明する。また、携帯端末１Ａ，１Ｂは、オペレーティングシステム（移動機ＯＳ）を有しており、移動機ＯＳ上でブラウザ機能、ビューワ機能、ＪＡＭ（Java（登録商標） Application Manager）その他の機能が動作する。
【００１４】
移動通信網２は、携帯端末１Ａ，１Ｂと移動通信センター３との間のネットワークである。この移動通信網２には、通常の移動通信網に加えて移動パケット通信網も含まれる。また、移動通信センター３は、例えばｉモード（登録商標）サーバなどを有すると共に、移動通信網２とインターネットとを結ぶゲートウェイ機能を担っており、具体的には、情報配信機能、メール送受信機能、メール蓄積機能、契約顧客管理機能、情報提供者（Information Provider）管理機能、及び情報料課金機能を有する。
【００１５】
移動通信センター３は、携帯端末１Ａの機能の情報（携帯端末１Ａに搭載されている機能の情報（機能情報））に基づいて機能表示画像情報（アイコン情報）を作成すると共に、アイコン情報を携帯端末１Ｂに送信する機能通知サーバ３１と、種々の機能表示画像（アイコン）を管理するアイコンサーバ３２とを備えている。なお、ここでは、機能通知サーバ３１とアイコンサーバ３２とが別体で構成されているが、機能通知サーバ３１とアイコンサーバ３２とが一体に構成されていても良い。
【００１６】
図２は、図１に示す携帯端末１Ａ，１Ｂの概略構成を示すブロック図である。なお、図２に示す構成は、本発明を説明するために簡略化したものであり、通常の携帯端末に搭載される構成要素は備えているものとする。
【００１７】
携帯端末１Ａ，１Ｂは、装置全体を制御する制御部１１と、移動通信網２を介して機能通知サーバ３１やアイコンサーバ３２との間で通信を行う通信制御部１２と、種々のデータや情報を表示する表示部１３と、電話帳をはじめ種々のデータを格納する格納部１４と、携帯端末の機能の情報に基づいて電話帳に登録されているデータを更新する更新部１５と、装置に搭載され、あるいはダウンロードされた種々のアプリケーションを起動するアプリ制御部１６とから主に構成されている。
【００１８】
通信制御部１２は、発呼の際に、機能通知サーバ３１に対して自装置が利用できる機能の情報を送信する。また、通信制御部１２は、電話帳に更新された機能に対応するアイコンを有しないときに、アイコンサーバ３２に対して、電話帳に更新された機能に対応するアイコンのダウンロードを要求する。また、通信制御部１２は、アイコンサーバ３２からダウンロードされたアイコンを受信する。
【００１９】
格納部１４は、通信相手の電話番号、メールアドレスなどの個人情報が登録された電話帳が格納されている。また、電話帳には、通信相手の携帯端末で利用できる機能についても登録される。
【００２０】
更新部１５は、機能通知サーバ３１から送信された機能情報に基づいて電話帳を更新する。具体的には、機能通知サーバ３１から送信された機能情報は、例えば図５に示す情報であり、更新部１５は、この機能情報にしたがって、所定の表示位置に所定のアイコンを所定の形態で表示させる。すなわち、更新部１５は、アイコンＩＤ「Ａ」のアイコンを電話帳の表示位置「１」に表示させ、アイコンＩＤ「Ｂ」のアイコンを電話帳の表示位置「２」に表示させ、アイコンＩＤ「Ｃ」のアイコンを電話帳の表示位置「３」に表示させるように電話帳を更新する。このとき、このユーザの携帯端末は、アイコンＩＤ「Ａ」の機能及びアイコンＩＤ「Ｂ」の機能は搭載されているが、アイコンＩＤ「Ｃ」の機能は搭載されていないので、アイコンＩＤ「Ｃ」のアイコンはクレーアウトの形態で表示させる。また、アイコン情報において、特殊表示位置のＩＤ、例えば「０」が含まれている場合には、電話帳からその特殊表示位置の表示位置ＩＤに対応するアイコンを削除する。
【００２１】
また、更新部１５は、アイコンサーバ３２からダウンロードされたアイコンを電話帳に更新する。具体的には、上記機能情報により、ユーザの携帯端末に新しい機能を更新したが、その機能に対応するアイコンがない場合に、アイコンサーバ３２からアイコンをダウンロードする。更新部１５は、ダウンロードしたアイコンを所定の表示位置に表示させるように電話帳を更新する。
【００２２】
アプリ制御部１６は、制御部１１の指示に応じてアプリケーション言語（例えばＪａｖａ（登録商標）言語）で作成されたアプリケーションプログラムを実行する。また、アプリ制御部１６は、必要に応じて移動通信センター３との間でアプリケーションを起動する。
【００２３】
図３は、図１に示す機能通知サーバ３１の概略構成を示すブロック図である。機能通知サーバ３１は、装置全体を制御する制御部３１１と、移動通信網２を介して携帯端末１Ａ，１Ｂとの間で通信を行う通信制御部３１２と、機能情報に基づいてアイコン情報を作成するアイコン情報作成部３１３と、携帯端末の機種とその機種で利用可能な機能と管理する端末機能データベース３１４と、装置に搭載され、あるいはダウンロードされたアプリケーションを起動するアプリ制御部３１５とから主に構成されている。
【００２４】
通信制御部３１２は、発呼の際に、携帯端末１Ａから送信された機能情報を受信する。また、通信制御部３１２は、機能情報に基づいて作成したアイコン情報を携帯端末１Ｂに送信する。
【００２５】
端末機能データベース３１４は、携帯端末の機種とその機種で利用可能な機能と管理しており、図４に示すような管理テーブルを有する。例えば、Ｆ９０２ｉＳは、テレビ電話、デコメール、プッシュトーク、着もじのそれぞれの機能が搭載されており、ＳＯ９０２ｉは、テレビ電話、デコメールのそれぞれの機能が搭載されている。
【００２６】
アイコン情報作成部３１３は、端末機能データベース３１４で管理している機能情報からアイコン情報を作成する。すなわち、アイコン情報作成部３１３は、機能情報に基づいて、図５に示すようなアイコン情報を作成する。このアイコン情報は、例えば図５に示すような情報であり、電話帳における表示位置（表示ＩＤ）、アイコン（アイコンＩＤ）、機能利用可否（可否ＩＤ）を含む。例えば、図５においては、機能情報が、携帯端末がテレビ電話の機能とデコメールの機能とを搭載しており、プッシュトークの機能を搭載していない情報であり、この機能情報に基づいて作成されたアイコン情報である。すなわち、このアイコン情報は、アイコンＩＤ「Ａ」のアイコンを電話帳の表示位置「１」に表示させ、アイコンＩＤ「Ｂ」のアイコンを電話帳の表示位置「２」に表示させ、アイコンＩＤ「Ｃ」のアイコンを電話帳の表示位置「３」に表示させることを意味し、このユーザの携帯端末は、アイコンＩＤ「Ａ」の機能及びアイコンＩＤ「Ｂ」の機能は搭載されているが、アイコンＩＤ「Ｃ」の機能は搭載されていないことを意味する。
【００２７】
また、アイコン情報作成部３１３は、アイコンを削除する機能を有すると共に、削除したアイコンに対応する機能の情報をアイコン情報に含める。すなわち、アイコン情報作成部３１３は、サービス提供者側が特定の機能についてアイコン表示を不要と設定すると、設定された機能に対応するアイコンを削除した状態でアイコン情報を作成する。これにより、ユーザに定着した機能のアイコンをサービス提供者が宣伝したい新たな機能のアイコンに置き換えることが可能となり、アイコンを格納する領域を有効に利用することができる。また、アイコン情報作成部３１３は、アイコンを削除した場合であっても、アイコンを削除した履歴を含めてアイコン情報を作成する。例えば、上述したように、削除したアイコンに特殊表示位置ＩＤ「０」を付与して、アイコン情報に含める（図１１（ｂ））。これにより、個々のユーザの携帯端末についての機能表示の履歴を残すことができ、サービス提供者側で個々に機能表示を管理する必要がなくなる。
【００２８】
アプリ制御部３１５は、制御部３１１の指示に応じてアプリケーション言語（例えばＪａｖａ言語）で作成されたアプリケーションプログラムを実行する。また、アプリ制御部３１５は、機能通知サーバ３１が携帯端末１Ａから機能情報を受けたときに、アイコン情報作成アプリケーションを起動させ、機能情報に基づいてアイコン情報を作成する。
【００２９】
アイコンサーバ３２は、種々のアイコンを管理しており、例えば、図６に示すようにアイコンを管理する。図６においては、アイコンＩＤ「Ａ」のテレビ電話のアイコン、アイコンＩＤ「Ｂ」のデコメールのアイコン、アイコンＩＤ「Ｃ」のプッシュトークのアイコン、アイコンＩＤ「Ｄ」の着もじのアイコンが管理されている。
【００３０】
次に、本発明の実施の形態に係る機能更新方法について、機能更新、アイコンダウンロード、不要アイコンの削除・新規アイコンの追加の観点に分けて、図７から図１１を用いて説明する。
【００３１】
（機能更新）
まず、携帯端末１Ｂが図８（ａ）に示すように、アイコンとして、テレビ電話（アイコンＩＤ「Ａ」）、デコメール（アイコンＩＤ「Ｂ」）、プッシュトーク（アイコンＩＤ「Ｃ」）を有しているとする。そして、携帯端末１Ａは、テレビ電話の機能とデコメールの機能とが搭載されているものとする。また、携帯端末１Ａ，１Ｂにおいてアイコンを表示させる領域が４つであるとする。
【００３２】
携帯端末１Ａのユーザが携帯端末１Ｂのユーザに電話をかけるために、携帯端末１Ａから携帯端末１Ｂに発呼すると、携帯端末１Ａが自装置で利用できる機能の情報（テレビ電話機能とデコメール機能とを搭載している旨の情報）を通信制御部１２から移動通信網２を介して機能通知サーバ３１に送信する（ＳＴ１１）。携帯端末１Ａ機能通知サーバ３１は、機能情報を受信すると、アプリ制御部１６がアイコン情報作成アプリケーションを起動させ、機能情報に基づいてアイコン情報を作成する（ＳＴ１２）。このアイコン情報は、図８（ｂ）に示すように、テレビ電話のアイコンＩＤ「Ａ」のアイコンを電話帳の表示位置「１」に表示させ、デコメールのアイコンＩＤ「Ｂ」のアイコンを電話帳の表示位置「２」に表示させ、プッシュトークのアイコンＩＤ「Ｃ」のアイコンを電話帳の表示位置「３」に表示させるものであり、携帯端末１Ａは、テレビ電話の機能及びデコメールの機能は搭載されており、プッシュトークの機能は搭載されていないので、テレビ電話のアイコンＩＤ「Ａ」及びデコメールのアイコンＩＤ「Ｂ」に対して可否アイコンＩＤを「１」とし、プッシュトークのアイコンＩＤ「Ｃ」に対して可否アイコンＩＤを「０」とする。
【００３３】
機能通知サーバ３１は、このようにして得られたアイコン情報を、携帯端末１Ａの通話相手である携帯端末１Ｂに対して、通信制御部３１２から移動通信網２を介して送信する（ＳＴ１３）。携帯端末１Ｂは、アイコン情報を受信すると、更新部１５が電話帳にアイコン情報を更新する（ＳＴ１４）。表示部１３は、アイコン情報にしたがって、電話帳におけるアイコン表示領域２１にアイコンを表示する。すなわち、図８（ｃ）に示すように、表示位置「１」にテレビ電話のアイコン「Ａ」を利用可能表示し、表示位置「２」にデコメールのアイコン「Ｂ」を利用可能表示し、表示位置「３」にプッシュトークのアイコン「Ｃ」を利用不可能表示する（グレーアウト表示）。また、表示位置「４」には何も表示しない。
【００３４】
（アイコンダウンロード）
まず、携帯端末１Ｂが図８（ａ）に示すように、アイコンとして、テレビ電話（アイコンＩＤ「Ａ」）、デコメール（アイコンＩＤ「Ｂ」）、プッシュトーク（アイコンＩＤ「Ｃ」）を有しているとする。そして、携帯端末１Ａは、テレビ電話の機能、デコメールの機能、プッシュトークの機能、及び着もじの機能が搭載されているものとする。また、携帯端末１Ａ，１Ｂにおいてアイコンを表示させる領域が４つであるとする。
【００３５】
携帯端末１Ａのユーザが携帯端末１Ｂのユーザに電話をかけるために、携帯端末１Ａから携帯端末１Ｂに発呼すると、携帯端末１Ａが自装置で利用できる機能の情報（テレビ電話機能、デコメール機能、プッシュトーク機能及び着もじ機能を搭載している旨の情報）を通信制御部１２から移動通信網２を介して機能通知サーバ３１に送信する（ＳＴ２１）。携帯端末１Ａ機能通知サーバ３１は、機能情報を受信すると、アプリ制御部１６がアイコン情報作成アプリケーションを起動させ、機能情報に基づいてアイコン情報を作成する（ＳＴ２２）。このアイコン情報は、図１０（ａ）に示すように、テレビ電話のアイコンＩＤ「Ａ」のアイコンを電話帳の表示位置「１」に表示させ、デコメールのアイコンＩＤ「Ｂ」のアイコンを電話帳の表示位置「２」に表示させ、プッシュトークのアイコンＩＤ「Ｃ」のアイコンを電話帳の表示位置「３」に表示させ、着もじのアイコンＩＤ「Ｄ」のアイコンを電話帳の表示位置「４」に表示させるものであり、携帯端末１Ａは、テレビ電話機能、デコメール機能、プッシュトーク機能及び着もじ機能が搭載されているので、テレビ電話のアイコンＩＤ「Ａ」、デコメールのアイコンＩＤ「Ｂ」、プッシュトークのアイコンＩＤ「Ｃ」及び着もじのアイコンＩＤ「Ｄ」に対して可否アイコンＩＤを「１」とする。
【００３６】
機能通知サーバ３１は、このようにして得られたアイコン情報を、携帯端末１Ａの通話相手である携帯端末１Ｂに対して、通信制御部３１２から移動通信網２を介して送信する（ＳＴ２３）。携帯端末１Ｂは、アイコン情報を受信すると、更新部１５が電話帳にアイコン情報を更新する（ＳＴ２４）。この場合、携帯端末１Ｂでは、図１０（ｂ）に示すように、着信画面のアイコン表示領域２２にアイコンが表示される。すなわち、表示位置「１」にテレビ電話のアイコン「Ａ」を利用可能表示し、表示位置「２」にデコメールのアイコン「Ｂ」を利用可能表示し、表示位置「３」にプッシュトークのアイコン「Ｃ」を利用可能表示する。また、携帯端末１Ｂは、着もじのアイコンを有していないので、表示位置「４」には「？」が表示される。
【００３７】
このような携帯端末１Ｂでは、通話後に、アイコンサーバ３２から着もじのアイコンをダウンロードする。すなわち、携帯端末１Ｂが必要となるアイコン（通話相手の携帯端末１Ａに搭載されている機能に対応するアイコンであって、自装置で有していないアイコン）を要求すると（ＳＴ２５）、アプリ制御部１６がアイコンダウンロードアプリケーションを起動し、目的とするアイコンをアイコンサーバ３２からダウンロードする（ＳＴ２６）。
【００３８】
携帯端末１Ｂは、アイコンを受信すると、更新部１５が電話帳にアイコンを更新する（ＳＴ２７）。これにより、携帯端末１Ｂが図１０（ｃ）に示すように、アイコンとして、テレビ電話（アイコンＩＤ「Ａ」）、デコメール（アイコンＩＤ「Ｂ」）、プッシュトーク（アイコンＩＤ「Ｃ」）及び着もじ（アイコンＩＤ「Ｄ」）のアイコンを有することとなる。電話帳においては、アイコン表示領域２１にアイコンが表示される。すなわち、図１０（ｄ）に示すように、表示位置「１」にテレビ電話のアイコン「Ａ」を利用可能表示し、表示位置「２」にデコメールのアイコン「Ｂ」を利用可能表示し、表示位置「３」にプッシュトークのアイコン「Ｃ」を利用可能表示し、表示位置「４」に着もじのアイコン「Ｄ」を利用可能表示する。
【００３９】
（不要アイコンの削除・新規アイコンの追加）
まず、携帯端末１Ｂが、図１０（ｃ）に示すように、アイコンとして、テレビ電話、デコメール、プッシュトーク及び着もじのアイコンを有するものとする。この場合において、テレビ電話がユーザに普及してきたとサービス提供者が判断して、テレビ電話のアイコンを削除すると設定すると、機能通知サーバ３１は、機能情報を受信したときに、アイコン情報作成部３１３において、テレビ電話のアイコンを削除してアイコン情報を作成する。このとき、アイコン情報作成部３１３は、図１１（ｂ）に示すように、削除したアイコンの履歴は残し、新規な機能のためのアイコンの領域を設けた状態でアイコン情報を作成する。これにより、携帯端末１Ｂが、図１１（ａ）に示すように、アイコンとして、デコメール、プッシュトーク及び着もじのアイコンを有することとなる。
【００４０】
機能通知サーバ３１は、このようにして得られたアイコン情報を、携帯端末１Ａの通話相手である携帯端末１Ｂに対して、通信制御部３１２から移動通信網２を介して送信する。携帯端末１Ｂは、アイコン情報を受信すると、更新部１５が電話帳にアイコン情報を更新する。この場合、携帯端末１Ｂでは、図１１（ｃ）に示すように、着信画面のアイコン表示領域２２にアイコンが表示される。すなわち、表示位置「１」にデコメールのアイコン「Ｂ」を利用可能表示し、表示位置「２」にプッシュトークのアイコン「Ｃ」を利用可能表示し、表示位置「３」に着もじのアイコン「Ｃ」を利用可能表示する。また、携帯端末１Ｂは、新しい機能のアイコンを有していないので、表示位置「４」には「？」が表示される。
【００４１】
このように、本発明によれば、携帯端末１Ａから携帯端末１Ｂへの発呼の際に、携帯端末１Ａで利用できる機能の情報を機能通知サーバ３１に送信し、機能通知サーバ３１において、前記機能情報に基づいてアイコン情報を作成し、前記アイコン情報を携帯端末１Ｂに送信し、携帯端末１Ｂにおいて、アイコン情報を電話帳に更新する。また、更新された機能に対応するアイコンを有しない場合には、アイコンサーバ３２からそのアイコンをダウンロードする。このため、携帯端末の機能を、自動的に通知したり、電話帳に更新して、通信相手の携帯端末がどの機能を搭載しているかをユーザに認識させることができる。
【００４２】
本発明は上記実施の形態に限定されず、種々変更して実施することが可能である。例えば、本実施の形態においては、携帯端末１Ａから機能通知サーバ３１に機能情報を送信し、その機能情報に基づいてアイコン情報を作成する場合について説明している。この場合においては、端末機能データベース３１４は必須ではなく、機能通知サーバ３１が機能情報を受信したときに、アプリ制御部３１５でアイコン情報作成アプリケーションを起動させてアイコン情報を作成すれば良い。本発明はこれに限定されず、携帯端末１Ａから機能通知サーバ３１に機種情報を送信し、機能通知サーバ３１が機種情報を受信したときに、アプリ制御部３１５でアイコン情報作成アプリケーションを起動させて、機種情報を用いて端末機能データベース３１４の図４に示す管理テーブルを参照し、その機種に対応する機能情報を抽出し、その機能情報に基づいてアイコン情報を作成するようにしても良い。
【００４３】
また、上記実施の形態においては、アイコン表示領域が４つのアイコンを表示できる場合について説明しているが、本発明はこれに限定されず、アイコン表示領域が３つ以下又は５つ以上のアイコンを表示できる場合にも適用することができる。また、携帯端末に搭載される機能として、テレビ電話、デコメール、プッシュトーク及び着もじである場合について説明しているが、本発明はこれに限定されず、その他の機能にも適用することが可能である。
【００４４】
また、本発明の範囲を逸脱しない限りにおいて、上記説明における数値、処理部、処理手順については適宜変更して実施することが可能である。その他、本発明の範囲を逸脱しないで適宜変更して実施することが可能である。
【図面の簡単な説明】
【００４５】
【図１】本発明の実施の形態に係る機能更新システムの概略構成を示す図である。
【図２】図１に示す機能更新システムにおける携帯端末の概略構成を示すブロック図である。
【図３】図１に示す機能更新システムにおける機能通知サーバの概略構成を示すブロック図である。
【図４】携帯端末の機種と機能とを関連づけた管理テーブルを示す図である。
【図５】アイコンの表示位置と表示形態を示すアイコン情報を説明するための図である。
【図６】アイコンサーバにおいて管理するアイコンを説明するための図である。
【図７】本発明の実施の形態に係る機能更新方法を説明するためのシーケンス図である。
【図８】（ａ）〜（ｃ）は、本発明の実施の形態に係る機能更新方法における機能更新を説明するための図である。
【図９】本発明の実施の形態に係る機能更新方法を説明するためのシーケンス図である。
【図１０】（ａ）〜（ｄ）は、本発明の実施の形態に係る機能更新方法におけるアイコンダウンロードを説明するための図である。
【図１１】（ａ）〜（ｃ）は、本発明の実施の形態に係る機能更新方法における不要アイコン削除・新規アイコン追加を説明するための図である。
【符号の説明】
【００４６】
１Ａ，１Ｂ  携帯端末
２  移動通信網
３  移動通信センター
１１，３１１  制御部
１２，３１２  通信制御部
１３  表示部
１４  格納部
１５  更新部
１６，３１５  アプリ制御部
２１，２２  アイコン表示領域
３１  機能通知サーバ
３２  アイコンサーバ
３１３  アイコン情報作成部
３１４  端末機能データベース
【図１】
2008092531.tif 000003
【図２】
2008092531.tif 000004
【図３】
2008092531.tif 000005
【図４】
2008092531.tif 000006
【図５】
2008092531.tif 000007
【図６】
2008092531.tif 000008
【図７】
2008092531.tif 000009
【図８】
2008092531.tif 000010
【図９】
2008092531.tif 000011
【図１０】
2008092531.tif 000012
【図１１】
2008092531.tif 000013